(57)【特許請求の範囲】
【請求項１】
地図情報を格納する地図情報格納手段と、
施設の種類を特定する施設種類情報と、前記施設の名称を特定する施設名称情報と、前記施設の位置を特定する施設位置情報とを相互に関連付けて構成された施設情報を格納する施設情報格納手段と、
前記施設種類情報と、前記施設種類情報にて特定される施設の種類と関連する施設の種類を特定する関連施設種類情報、又は前記施設種類情報にて特定される施設の種類と関連する施設の名称を特定する関連施設名称情報とを相互に関連付けて格納する関連情報格納手段と、
出発地又は目的地の少なくともいずれか一方が設定されている場合において、前記出発地又は前記目的地以外の地点であってユーザが立ち寄る地点である立寄地を検索するための前記ユーザによる検索ワードの入力を受け付ける入力手段と、
前記入力手段によって前記検索ワードの入力が受け付けられた場合に、
前記施設情報格納手段に格納されている前記施設情報の中から、前記地図情報に基づいて、前記出発地又は前記目的地のいずれか一方に対応する施設に対応する前記施設情報を特定し、
前記関連情報格納手段に格納されている前記関連施設種類情報又は前記関連施設名称情報の中から、前記特定された前記施設情報に対応する前記関連施設種類情報又は前記関連施設名称情報であり、且つ前記検索ワードに対応する前記関連施設種類情報又は前記関連施設名称情報を取得する取得手段と、
前記取得手段にて取得された前記関連施設種類情報又は前記関連施設名称情報を表示手段に表示する案内手段と、
を備えた案内システム。
【請求項２】
前記取得手段は、
前記施設情報格納手段に格納されている前記施設情報の中から、前記出発地又は前記目的地から所定距離内に存在する施設に対応する前記施設情報であり、且つ前記検索ワードに対応する前記施設情報を取得し、
前記案内手段は、
前記取得手段にて取得された前記施設情報のうち、前記施設種類情報又は前記施設名称情報を前記表示手段に表示する、
請求項１に記載の案内システム。
【請求項３】
所定方法で指定された探索条件と、前記地図情報とに基づいて、前記出発地から前記目的地に至る経路を設定する経路設定手段を備え、
前記取得手段は、
前記施設情報格納手段に格納されている前記施設情報の中から、前記経路設定手段にて設定された前記経路沿いに存在する施設に対応する前記施設情報であり、且つ前記検索ワードに対応する前記施設情報を取得し、
前記案内手段は、
前記取得手段にて取得された前記施設情報のうち、前記施設種類情報又は前記施設名称情報を前記表示手段に表示する、
請求項１又は２に記載の案内システム。
【請求項４】
前記案内手段は、
前記施設種類情報を前記施設名称情報よりも優先して前記表示手段に表示する、
請求項１から３のいずれか一項に記載の案内システム。
【請求項５】
前記ユーザが過去に検索した検索ワード情報を格納する検索履歴情報格納手段を備え、
前記取得手段は、
前記検索履歴情報格納手段に格納されている前記検索ワード情報の中から、前記検索ワードに対応する前記検索ワード情報を取得し、
前記案内手段は、
前記取得手段にて取得された前記検索ワード情報と、前記取得手段にて取得された前記関連施設種類情報又は前記関連施設名称情報とを前記表示手段に表示する場合には、前記関連施設種類情報又は前記関連施設名称情報を、前記検索ワード情報よりも優先して表示する、
請求項１から４のいずれか一項に記載の案内システム。
【請求項６】
入力手段が、出発地又は目的地の少なくともいずれか一方が設定されている場合において、前記出発地又は前記目的地以外の地点であってユーザが立ち寄る地点である立寄地を検索するための前記ユーザによる検索ワードの入力を受け付ける入力ステップと、
取得手段が、
前記入力ステップによって前記検索ワードの入力が受け付けられた場合に、
施設情報格納手段に格納されている施設情報であって、施設の種類を特定する施設種類情報と、前記施設の名称を特定する施設名称情報と、前記施設の位置を特定する施設位置情報とを相互に関連付けて構成された施設情報の中から、地図情報格納手段に格納されている地図情報に基づいて、前記出発地又は前記目的地のいずれか一方に対応する施設に対応する前記施設情報を特定し、
関連情報格納手段に前記施設情報と相互に関連づけて格納されている関連施設種類情報であり前記施設種類情報にて特定される施設の種類と関連する施設の種類を特定する関連施設種類情報の中から、又は前記関連情報格納手段に前記施設情報と相互に関連づけて格納されている関連施設名称情報であり前記施設種類情報にて特定される施設の種類と関連する施設の名称を特定する関連施設名称情報の中から、前記特定された前記施設情報に対応する前記関連施設種類情報又は前記関連施設名称情報であり、且つ前記検索ワードに対応する前記関連施設種類情報又は前記関連施設名称情報を取得する取得ステップと、
案内手段が、前記取得ステップにおいて取得された前記関連施設種類情報又は前記関連施設名称情報を表示手段に表示する案内ステップと、
を含む案内方法。
【請求項７】
端末装置と通信可能に接続された管理サーバに実行させるための案内プログラムであって、
前記管理サーバとしてのコンピュータを、
地図情報を格納する地図情報格納手段と、
施設の種類を特定する施設種類情報と、前記施設の名称を特定する施設名称情報と、前記施設の位置を特定する施設位置情報とを相互に関連付けて構成された施設情報を格納する施設情報格納手段と、
前記施設種類情報と、前記施設種類情報にて特定される施設の種類と関連する施設の種類を特定する関連施設種類情報、又は前記施設種類情報にて特定される施設の種類と関連する施設の名称を特定する関連施設名称情報とを相互に関連付けて格納する関連情報格納手段と、
出発地又は目的地の少なくともいずれか一方が設定されている場合において、前記出発地又は前記目的地以外の地点であってユーザが立ち寄る地点である立寄地を検索するための検索ワードが前記端末装置から受信された場合に、
前記施設情報格納手段に格納されている前記施設情報の中から、前記地図情報に基づいて、前記出発地又は前記目的地のいずれか一方に対応する施設に対応する前記施設情報を特定し、
前記関連情報格納手段に格納されている前記関連施設種類情報又は前記関連施設名称情報の中から、前記特定された前記施設情報に対応する前記関連施設種類情報又は前記関連施設名称情報であり、且つ前記検索ワードに対応する前記関連施設種類情報又は前記関連施設名称情報を取得する取得手段と、
前記取得手段にて取得された前記関連施設種類情報又は前記関連施設名称情報を前記端末装置に送信する案内手段と、
として機能させるための案内プログラム。
【発明の詳細な説明】
【技術分野】
【０００１】
本発明は、案内システム、案内方法、及び案内プログラムに関する。
【背景技術】
【０００２】
従来、出発地から目的地に至る経路を設定する際に目的地を案内する技術の一つとして、ユーザが過去に検索した地点及び当該地点に対応するキーワードを含む履歴情報を記憶するデータベースを備え、データベースに格納されている履歴情報の中から、ユーザが入力したキーワードに該当する地点を目的地候補として抽出し、当該抽出された目的地候補を表示器に表示する装置が提案されている（例えば、特許文献１参照）。
【先行技術文献】
【特許文献】
【０００３】
【特許文献１】特開２００７−２４８３６５号公報
【発明の概要】
【発明が解決しようとする課題】
【０００４】
ここで、出発地又は目的地以外の地点であってユーザが立ち寄る地点（以下、「立寄地」と称する）を案内できるように、例えば、データベースに格納されている履歴情報の中からユーザが入力したキーワードに該当する地点を立寄地候補として抽出し、当該抽出された立寄地候補を表示器に表示することが考えられる。しかしながら、このような場合には、表示器に表示される立寄地候補として、単にユーザが入力したキーワードに該当する地点が表示されるに過ぎなかったので、ユーザの出発地又は目的地と関連する立寄地候補が実際に存在していても、この立寄地候補に該当するキーワードが過去に検索されていなければ履歴情報としてデータベースに格納されないため、この立寄地候補を表示器に表示できないことから、立寄地を検索する場合における利便性の観点から改善の余地があった。
【０００５】
本発明は、上記に鑑みてなされたものであって、立寄地の検索の利便性を向上させることが可能となる、案内システム、案内方法、及び案内プログラムを提供することを目的とする。
【課題を解決するための手段】
【０００６】
上述した課題を解決し、目的を達成するために、本発明に係る案内システムは、地図情報を格納する地図情報格納手段と、施設の種類を特定する施設種類情報と、前記施設の名称を特定する施設名称情報と、前記施設の位置を特定する施設位置情報とを相互に関連付けて構成された施設情報を格納する施設情報格納手段と、前記施設種類情報と、前記施設種類情報にて特定される施設の種類と関連する施設の種類を特定する関連施設種類情報、又は前記施設種類情報にて特定される施設の種類と関連する施設の名称を特定する関連施設名称情報とを相互に関連付けて格納する関連情報格納手段と、出発地又は目的地の少なくともいずれか一方が設定されている場合において、前記出発地又は前記目的地以外の地点であってユーザが立ち寄る地点である立寄地を検索するための前記ユーザによる検索ワードの入力を受け付ける入力手段と、前記入力手段によって前記検索ワードの入力が受け付けられた場合に、前記施設情報格納手段に格納されている前記施設情報の中から、前記地図情報に基づいて、前記出発地又は前記目的地のいずれか一方に対応する施設に対応する前記施設情報を特定し、前記関連情報格納手段に格納されている前記関連施設種類情報又は前記関連施設名称情報の中から、前記特定された前記施設情報に対応する前記関連施設種類情報又は前記関連施設名称情報であり、且つ前記検索ワードに対応する前記関連施設種類情報又は前記関連施設名称情報を取得する取得手段と、前記取得手段にて取得された前記関連施設種類情報又は前記関連施設名称情報を表示手段に表示する案内手段と、を備えた。
【０００７】
また、本発明に係る案内方法は、入力手段が、出発地又は目的地の少なくともいずれか一方が設定されている場合において、前記出発地又は前記目的地以外の地点であってユーザが立ち寄る地点である立寄地を検索するための前記ユーザによる検索ワードの入力を受け付ける入力ステップと、取得手段が、前記入力ステップによって前記検索ワードの入力が受け付けられた場合に、施設情報格納手段に格納されている施設情報であって、施設の種類を特定する施設種類情報と、前記施設の名称を特定する施設名称情報と、前記施設の位置を特定する施設位置情報とを相互に関連付けて構成された施設情報の中から、地図情報格納手段に格納されている地図情報に基づいて、前記出発地又は前記目的地のいずれか一方に対応する施設に対応する前記施設情報を特定し、関連情報格納手段に前記施設情報と相互に関連づけて格納されている関連施設種類情報であり前記施設種類情報にて特定される施設の種類と関連する施設の種類を特定する関連施設種類情報の中から、又は前記関連情報格納手段に前記施設情報と相互に関連づけて格納されている関連施設名称情報であり前記施設種類情報にて特定される施設の種類と関連する施設の名称を特定する関連施設名称情報の中から、前記特定された前記施設情報に対応する前記関連施設種類情報又は前記関連施設名称情報であり、且つ前記検索ワードに対応する前記関連施設種類情報又は前記関連施設名称情報を取得する取得ステップと、案内手段が、前記取得ステップにおいて取得された前記関連施設種類情報又は前記関連施設名称情報を表示手段に表示する案内ステップと、を含む。
【０００８】
また、本発明に係る案内プログラムは、端末装置と通信可能に接続された管理サーバに実行させるための案内プログラムであって、前記管理サーバとしてのコンピュータを、地図情報を格納する地図情報格納手段と、施設の種類を特定する施設種類情報と、前記施設の名称を特定する施設名称情報と、前記施設の位置を特定する施設位置情報とを相互に関連付けて構成された施設情報を格納する施設情報格納手段と、前記施設種類情報と、前記施設種類情報にて特定される施設の種類と関連する施設の種類を特定する関連施設種類情報、又は前記施設種類情報にて特定される施設の種類と関連する施設の名称を特定する関連施設名称情報とを相互に関連付けて格納する関連情報格納手段と、出発地又は目的地の少なくともいずれか一方が設定されている場合において、前記出発地又は前記目的地以外の地点であってユーザが立ち寄る地点である立寄地を検索するための検索ワードが前記端末装置から受信された場合に、前記施設情報格納手段に格納されている前記施設情報の中から、前記地図情報に基づいて、前記出発地又は前記目的地のいずれか一方に対応する施設に対応する前記施設情報を特定し、前記関連情報格納手段に格納されている前記関連施設種類情報又は前記関連施設名称情報の中から、前記特定された前記施設情報に対応する前記関連施設種類情報又は前記関連施設名称情報であり、且つ前記検索ワードに対応する前記関連施設種類情報又は前記関連施設名称情報を取得する取得手段と、前記取得手段にて取得された前記関連施設種類情報又は前記関連施設名称情報を前記端末装置に送信する案内手段と、として機能させる。
【発明の効果】
【０００９】
本発明に係る案内システムによれば、入力手段によって検索ワードの入力が受け付けられた場合に、施設情報格納手段に格納されている施設情報の中から、地図情報に基づいて、出発地又は目的地のいずれか一方に対応する施設に対応する施設情報を特定し、関連情報格納手段に格納されている関連施設種類情報又は関連施設名称情報の中から、特定された施設情報に対応する関連施設種類情報又は関連施設名称情報であり、且つ検索ワードに対応する関連施設種類情報又は関連施設名称情報を取得する取得手段と、取得手段にて取得された関連施設種類情報又は関連施設名称情報を表示手段に表示する案内手段と、を備えたので、検索ワードを入力して立寄地を検索する場合に、出発地又は目的地のいずれか一方に対応する施設の種類と関連する施設の種類又は施設の名称に対応する関連施設種類情報又は関連施設名称情報であり、且つ検索ワードに対応する関連施設種類情報又は関連施設名称情報を、立寄地を検索するための候補となるワードとしてユーザに対して提示できる。よって、この提示された関連施設種類情報又は関連施設名称情報を用いて立寄地を検索することにより、従来技術に比べてユーザのニーズに合致した立寄地を検索することができるので、立寄地の検索の利便性を向上させることができる。
【００１０】
本発明に係る案内方法によれば、取得手段が、入力ステップにおいて検索ワードの入力が受け付けられた場合に、施設情報格納手段に格納されている施設情報の中から、地図情報に基づいて、出発地又は目的地のいずれか一方に対応する施設に対応する施設情報を特定し、関連情報格納手段に格納されている関連施設種類情報又は関連施設名称情報の中から、特定された施設情報に対応する関連施設種類情報又は関連施設名称情報であり、且つ検索ワードに対応する関連施設種類情報又は関連施設名称情報を取得する取得ステップと、案内手段が、取得ステップにおいて取得された関連施設種類情報又は関連施設名称情報を表示手段に表示する案内ステップと、を含むので、検索ワードを入力して立寄地を検索する場合に、出発地又は目的地のいずれか一方に対応する施設の種類と関連する施設の種類又は施設の名称に対応する関連施設種類情報又は関連施設名称情報であり、且つ検索ワードに対応する関連施設種類情報又は関連施設名称情報を、立寄地を検索するための候補となるワードとしてユーザに対して提示できる。よって、この提示された関連施設種類情報又は関連施設名称情報を用いて立寄地を検索することにより、従来技術に比べてユーザのニーズに合致した立寄地を検索することができるので、立寄地の検索の利便性を向上させることができる。
【００１１】
本発明に係る案内プログラムによれば、入力手段によって検索ワードの入力が受け付けられた場合に、施設情報格納手段に格納されている施設情報の中から、地図情報に基づいて、出発地又は目的地のいずれか一方に対応する施設に対応する施設情報を特定し、関連情報格納手段に格納されている関連施設種類情報又は関連施設名称情報の中から、特定された施設情報に対応する関連施設種類情報又は関連施設名称情報であり、且つ検索ワードに対応する関連施設種類情報又は関連施設名称情報を取得する取得手段と、取得手段にて取得された関連施設種類情報又は関連施設名称情報を表示手段に表示する案内手段と、を備えたので、検索ワードを入力して立寄地を検索する場合に、出発地又は目的地のいずれか一方に対応する施設の種類と関連する施設の種類又は施設の名称に対応する関連施設種類情報又は関連施設名称情報であり、且つ検索ワードに対応する関連施設種類情報又は関連施設名称情報を、立寄地を検索するための候補となるワードとしてユーザに対して提示できる。よって、この提示された関連施設種類情報又は関連施設名称情報を用いて立寄地を検索することにより、従来技術に比べてユーザのニーズに合致した立寄地を検索することができるので、立寄地の検索の利便性を向上させることができる。
【図面の簡単な説明】
【００１２】
【図１】本発明の実施の形態に係る案内システムを例示するブロック図である。
【図２】施設ＤＢの構成例を示す図である。
【図３】関連ＤＢの構成例を示す図である。
【図４】検索履歴ＤＢの構成例を示す図である。
【図５】実施の形態に係る端末装置に関する案内処理のフローチャートである。
【図６】実施の形態に係る管理サーバに関する案内処理のフローチャートである。
【図７】検索候補情報を例示した図である。
【図８】検索候補情報を例示したその他の図である。
【発明を実施するための形態】
【００１３】
（実施の形態）
以下、本発明に係る案内システム、案内方法、及び案内プログラムの実施の形態について図面を参照しつつ詳細に説明する。ただし、実施の形態によって本発明が限定されるものではない。
【００１４】
［実施の形態の基本的概念］
まずは、実施の形態の基本的概念について説明する。
【００１５】
本発明に係る案内システムは、立寄地を案内するためのシステムである。ここで、「立寄地」とは、例えば、出発地から目的地に至るまでに経由する地点（いわゆる経由地）や、目的地に到着した後に次に向かう目的地（いわゆる追加目的地）等を含む概念である。また、「出発地」とは、ユーザが移動を開始する地点であり、「目的地」とは、ユーザの移動の目的となる地点である。また、この案内システムとして機能する機器は、立寄地を案内するための機器であって、例えば有線又は無線にて接続された複数の機器や、案内システムとしての機能を一体的に備える単一の機器を含み、具体的には、端末装置と管理サーバとを含む。このうち、「端末装置」とは、車両に搭載される装置であり、具体的には、車載用ナビゲーション装置等を含む概念である。また、「管理サーバ」とは、基地局（図示省略）等に設けられた装置であり、具体的には、据え置き型のサーバ等を含む概念である。
【００１６】
［実施の形態の具体的内容］
続いて、実施の形態の具体的内容について説明する。
【００１７】
（構成）
最初に、実施の形態に係る案内システムの構成を説明する。図１は、本発明の実施の形態に係る案内システムを例示するブロック図である。図１に示すように、案内システム１は、端末装置１０、及び管理サーバ２０を備えており、これら端末装置１０と管理サーバ２０とはネットワークを介して相互に通信可能に接続されている。また、図１には、端末装置１０を１台のみ示しているが、実際には案内システム１は、複数の車両の各々に搭載された端末装置１０と、これら複数の端末装置１０に対して通信可能な共通の管理サーバ２０とを備えて構成されている。ただし、これら複数の車両の各々の端末装置１０は、相互に同様に構成することができるため、以下では、１台の車両（以下、「自車両」と称する）に搭載された端末装置１０について説明するものとし、他の車両（以下、「他車両」と称する）に搭載された端末装置１０についてはその説明を省略する。なお、自車両と他車両を区別する必要がない場合には、これらを単に「車両」と総称する。また、「車両」とは、四輪自動車、二輪自動車、及び自転車等を含む概念であるが、実施の形態では、四輪自動車として説明する。
【００１８】
（構成−端末装置）
次に、端末装置１０の構成について説明する。端末装置１０は、自車両の各種の情報を管理サーバ２０に送信すると共に、管理サーバ２０から受信された情報に基づいて各種の制御を行う装置である。図１に示すように、この端末装置１０は、現在地取得部１１、通信部１２、タッチパッド１３、ディスプレイ１４、スピーカ１５、制御部１６、及びデータ記録部１７を備えている。なお、この端末装置１０は、例えば自車両に搭載された公知の車載ナビゲーション装置等によって構成することができるので、その詳細な説明は省略する。
【００１９】
（構成−端末装置−現在地取得部）
現在地取得部１１は、衛星から受信したＧＰＳ信号に基づいて自車両の現在地（ユーザの現在地）を検出する現在地取得手段である。この現在地取得部１１は、例えば、ＧＰＳ受信機を用いて構成されており、現在の自車両の位置及び方位等を公知の方法にて検出する。
【００２０】
（構成−端末装置−通信部）
通信部１２は、管理サーバ２０との間でネットワークを介して通信するための通信手段である。この通信手段の具体的な種類や構成は任意であるが、例えば、公知の移動体無線通信手段や、ＦＭ多重放送やビーコンを介した公知のＶＩＣＳ（登録商標）システム用の無線通信手段を用いることができる。
【００２１】
（構成−端末装置−タッチパッド）
タッチパッド１３は、ユーザの指等で押圧されることにより、当該ユーザから各種操作入力を受け付ける操作手段であると共に、後述する検索ワードの入力を受け付ける入力手段である。このタッチパッド１３の具体的な構成は任意であるが、例えば、抵抗膜方式や静電容量方式等による操作位置検出手段を備えた公知のものを用いることができる。
【００２２】
（構成−端末装置−ディスプレイ）
ディスプレイ１４は、制御部１６の制御に基づいて各種の画像を表示する表示手段である。このディスプレイ１４の具体的な構成は任意であるが、例えば、公知の液晶ディスプレイや有機ＥＬディスプレイの如きフラットパネルディスプレイ等を用いることができる。なお、上記のタッチパッド１３と当該ディスプレイ１４をタッチパッド１３として一体形成しても構わない。
【００２３】
（構成−端末装置−スピーカ）
スピーカ１５は、制御部１６の制御に基づいて各種の音声を出力する出力手段である。スピーカ１５より出力される音声の具体的な態様は任意であり、必要に応じて生成された合成音声や、予め録音された音声を出力することができる。
【００２４】
（構成−端末装置−制御部）
制御部１６は、端末装置１０を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、実施の形態に係る案内プログラムは、任意の記録媒体又はネットワークを介して端末装置１０にインストールされることで、制御部１６の各部を実質的に構成する（なお、後述する管理サーバ２０の制御部２２の構成についても同様とする）。
【００２５】
また、この制御部１６は、図１に示すように、機能概念的に、案内部１６ａを備えている。案内部１６ａは、所定情報を、ディスプレイ１４やスピーカ１５を介して端末装置１０のユーザに案内すると共に、後述する関連施設種類情報又は後述する関連施設名称情報の案内を行う案内手段である。なお、この制御部１６によって実行される処理の詳細については後述する。
【００２６】
（構成−端末装置−データ記録部）
データ記録部１７は、端末装置１０の動作に必要なプログラム及び各種のデータを記録する記録手段であり、例えば、外部記録装置としてのハードディスク（図示省略）を用いて構成されている。ただし、ハードディスクに代えてあるいはハードディスクと共に、磁気ディスクの如き磁気的記録媒体、ＤＶＤやブルーレイディスクの如き光学的記録媒体、又はＦｌａｓｈ  Ｒｏｍ、ＵＳＢメモリ、ＳＤカードの如き電気的記録媒体を含む、その他の任意の記録媒体を用いることができる（なお、後述する管理サーバ２０のデータ記録部２３の構成についても同様とする）。
【００２７】
また、このデータ記録部１７は、地図ＤＢ１７ａを備えている。地図ＤＢ１７ａは、地図情報を格納する地図情報格納手段である。また、「地図情報」とは、道路、道路構造物、施設等を含む各種の位置の特定に必要な情報であり、例えば、道路上に設定された各ノードに関するノードデータ（例えばノードＩＤ、座標等）や、道路上に設定された各リンクに関するリンクデータ（例えばリンクＩＤ、リンク名、接続ノードＩＤ、道路座標、道路種別（例えば、有料道路、一般道路等）、車線数等）、地物データ（例えば信号機、道路標識、ガードレール、施設等）、地形データ等を含んで構成されている（なお、後述する管理サーバ２０の地図ＤＢ２３ａに格納されている地図情報についても同様とする）。
【００２８】
（構成−管理サーバ）
次に、管理サーバ２０の構成について説明する。管理サーバ２０は、後述する検索候補取得要求情報が受信された場合に、後述する検索候補情報を送信する装置である。図１に示すように、この管理サーバ２０は、通信部２１、制御部２２、及びデータ記録部２３を備えている。なお、この管理サーバ２０は、例えば基地局に設置された公知のサーバ等によって構成することができるので、その詳細な説明は省略する。
【００２９】
（構成−管理サーバ−通信部）
通信部２１は、端末装置１０との間でネットワークを介して通信するための通信手段である。この通信手段の具体的な種類や構成は任意であるが、例えば、公知の移動体無線通信手段や、ＦＭ多重放送やビーコンを介した公知のＶＩＣＳ（登録商標）システム用の無線通信手段を用いることができる。
【００３０】
（構成−管理サーバ−制御部）
制御部２２は、管理サーバ２０を制御する制御手段であり、図１に示すように、機能概念的に、取得部２２ａ、案内部２２ｂ、及び経路設定部２２ｃを備えている。
【００３１】
取得部２２ａは、後述する施設ＤＢ２３ｂに格納されている施設情報の中から、出発地又は目的地のいずれか一方に対応する施設に対応する施設情報を特定し、後述する関連ＤＢ２３ｃに格納されている後述する関連施設種類情報又は後述する関連施設名称情報の中から、上記特定された施設情報に対応する関連施設種類情報又は関連施設名称情報であり、且つ後述する検索ワードに対応する関連施設種類情報又は関連施設名称情報を取得する取得手段である。
【００３２】
案内部２２ｂは、後述する関連施設種類情報又は後述する関連施設名称情報の案内を行う案内手段である。
【００３３】
経路設定部２２ｃは、所定方法で指定された探索条件と、後述する地図ＤＢ２３ａに格納された地図情報とに基づいて、出発地から目的地に至る経路を設定する経路設定手段である。ここで、「探索条件」とは、経路を探索するための条件を意味する。この「探索条件」は、例えば、出発地から目的地に至るまでの距離が短くなる経路を優先して探索する距離優先条件、出発地から目的地に至るまでに要する時間が短くなる経路を優先して探索する時間優先条件、出発地から目的地に至るまでの燃費が低くなる経路を優先して探索する燃費優先条件等を挙げることができる。なお、この制御部２２によって実行される処理の詳細については後述する。
【００３４】
（構成−管理サーバ−データ記録部）
データ記録部２３は、管理サーバ２０の動作に必要なプログラム及び各種のデータを記録する記録手段であり、地図ＤＢ２３ａ、施設ＤＢ２３ｂ、関連ＤＢ２３ｃ、検索履歴ＤＢ２３ｄを備えている。
【００３５】
地図ＤＢ２３ａは、地図情報を格納する地図情報格納手段である。
【００３６】
施設ＤＢ２３ｂは、施設情報を格納する施設情報格納手段である。ここで、「施設情報」とは、施設を特定する情報である。また、「施設」とは、地図上に設定された建物、設備等を意味する。図２は、施設ＤＢ２３ｂに格納された情報を例示する図である。図２に示すように、施設ＤＢ２３ｂは、項目「施設種類」、項目「施設名称」、及び項目「施設位置」と、各項目に対応する情報とを、相互に関連付けて格納する。このうち、項目「施設種類」に対応する情報は、施設の種類を特定する施設種類情報である。項目「施設名称」に対応する情報は、施設の名称を特定する施設名称情報である。項目「施設位置」に対応する情報は、施設の位置を特定する施設位置情報であり、具体的には、項目「緯度」に対応して格納される情報である施設の緯度と、項目「経度」に対応して格納される情報である施設の経度とを含んで構成されている。
【００３７】
図１に戻り、関連ＤＢ２３ｃは、施設種類情報と、関連施設種類情報又は関連施設名称情報とを相互に関連付けて格納する関連情報格納手段である。図３は、関連ＤＢ２３ｃに格納された情報を例示する図である。図３に示すように、関連ＤＢ２３ｃは、項目「施設種類」、及び項目「関連施設種類」と、各項目に対応する情報とを、相互に関連付けて格納する。このうち、項目「施設種類」に対応する情報は、施設種類情報であり、項目「関連施設種類」に対応する情報は、関連施設種類情報である。ここで、「関連施設種類情報」とは、施設種類情報にて特定される施設の種類と関連する施設の種類を特定する情報である。また、「関連する施設の種類」とは、施設種類情報に対応する施設の種類との間に関連性を有する施設の種類を意味する。この「関連する施設の種類」は、例えば、人の行動パターンの観点から、施設種類情報に対応する施設の種類と関連性が高い施設の種類等を含む概念であり、一例として、施設種類情報に対応する施設の種類が「スキー場」である場合には、スキーの準備を行うための施設の種類（一例として、「レンタルスキー・ボードショップ」）、スキー後の疲れを癒すための施設の種類（一例として、「温泉施設」）等が該当する。また、「関連施設名称情報」とは、施設種類情報にて特定される施設の種類と関連する施設の名称を特定する情報である。また、「関連する施設の名称」とは、施設種類情報に対応する施設の種類との間に関連性を有する施設の名称を意味する。この「関連する施設の名称」は、例えば、人の行動パターンの観点から、施設種類情報に対応する施設の種類と関連性が高い施設の名称等を含む概念であり、一例として、施設種類情報に対応する施設の種類が「スキー場」である場合には、スキーの準備を行うための施設の名称（一例として、「レンタル〇〇〇」）、スキー後の疲れを癒すための施設の名称（一例として、「温泉〇〇〇」）等が該当する。なお、実施の形態においては、関連ＤＢ２３ｃには施設種類情報と、関連施設種類情報とが相互に関連付けて格納されており、また、施設ＤＢ２３ｂには施設種類情報と施設名称情報とが相互に関連付けて格納されており、この施設種類情報の中には関連施設種類情報と同じ種類の施設種類情報が含まれていることからすると、関連施設種類情報と同じ種類の施設種類情報に対応する施設名称情報（すなわち、関連施設名称情報）が、データ記録部２３に格納されており、且つ、関連ＤＢ２３ｃに間接的に格納されていると言える。よって、「関連ＤＢ２３ｃは、施設種類情報と、関連施設種類情報又は関連施設名称情報とを相互に関連付けて格納する」と言える。
【００３８】
図１に戻り、検索履歴ＤＢ２３ｄは、各端末装置１０のユーザが過去に検索した後述する検索ワードを特定する情報（以下、「検索ワード情報」と称する）を格納する検索履歴情報格納手段である。図４は、検索履歴ＤＢ２３ｄに格納された情報を例示する図である。この図４に示すように、検索履歴ＤＢ２３ｄは、項目「日時」、項目「ユーザＩＤ」、及び項目「検索ワード」と、各項目に対応する情報とを、相互に関連付けて格納する。ここで、項目「日時」に対応する情報は、検索ワード情報が検索された際の日時を特定する情報である。項目「ユーザＩＤ」に対応する情報は、各端末装置１０のユーザを一意に識別するためのユーザ識別情報である。項目「検索ワード」に対応する情報は、検索ワード情報である（実施の形態では、図４に示すように、検索ワード自体が検索履歴ＤＢ２３ｄに格納されている）。
【００３９】
（案内処理）
次に、このように構成される案内システム１によって実行される案内処理について説明する。図５は、実施の形態に係る端末装置１０に関する案内処理のフローチャートである（以下の各処理の説明ではステップを「Ｓ」と略記する）。図６は、実施の形態に係る管理サーバ２０に関する案内処理のフローチャートである。図７、図８は、後述する検索候補情報を例示した図である。案内処理は、概略的には、立寄地を案内する処理である。この案内処理を実行するタイミングは任意であるが、実施の形態では、端末装置１０及び管理サーバ２０の電源が投入された後に起動されるものとして説明する。
【００４０】
案内処理が起動されると、図５、図６に示すように、最初に、後述する検索候補情報を端末装置１０のユーザに対して案内できるように、端末装置１０の制御部１６は、ＳＡ１からＳＡ７の処理を行うと共に、管理サーバ２０の制御部２２は、ＳＢ１からＳＢ１０の処理を行う。
【００４１】
まず、図５に示すように、ＳＡ１において端末装置１０の制御部１６は、出発地又は目的地の設定指示が受け付けられたか否かを判定する。ここで、出発地の設定方法については任意であるが、例えば、ディスプレイ１４の画面上の領域のうち出発地を設定するための第１設定領域（図示省略）に、タッチパッド１３を介して端末装置１０のユーザが出発地を入力することで設定してもよい。あるいは、現在地取得部１１によって検出された自車両の現在地を出発地として設定してもよい。また、目的地の設定方法については任意であるが、例えば、ディスプレイ１４の画面上の領域のうち目的地を設定するための第２設定領域（図示省略）に、タッチパッド１３を介してユーザが目的地を入力することで設定してもよい。そして、端末装置１０の制御部１６は、出発地又は目的地の設定指示が受け付けられたと判定された場合（ＳＡ１、Ｙｅｓ）、ＳＡ２へ移行し、当該設定指示が受け付けられていなと判定された場合（ＳＡ１、Ｎｏ）、ＳＡ３へ移行する。
【００４２】
ＳＡ２において端末装置１０の制御部１６は、端末装置１０のユーザによってタッチパッド１３を介して所定操作が受け付けられることにより、探索条件の設定指示が受け付けられたか否かを判定する。ここで、探索条件の設定方法については任意であるが、例えば、ディスプレイ１４の画面上の領域のうち探索条件を設定するための第３設定領域（図示省略）に探索条件（例えば、距離優先条件、時間優先条件、又は燃費優先条件等）を特定する情報を一覧表示させ、これら探索条件を特定する情報のいずれか１つをタッチパッド１３を介してユーザが選択することにより設定してもよい。あるいは、あらかじめデータ記録部１７に登録されたデフォルトの探索条件（例えば、距離優先条件等）を、ＳＡ２にて設定される探索条件として決定してもよい。そして、端末装置１０の制御部１６は、探索条件の設定指示が受け付けられていないと判定された場合（ＳＡ２、Ｎｏ）にはＳＡ３へ移行し、探索条件の設定指示が受け付けられたと判定された場合（ＳＡ２、Ｙｅｓ）、ＳＡ４へ移行する。
【００４３】
ＳＡ３において端末装置１０の制御部１６は、ＳＡ１にて出発地又は目的地の設定指示が受け付けられていないと最初に判定された時点のタイミング（又は、ＳＡ２にて探索条件の設定指示が受け付けられていないと最初に判定された時点のタイミング）から所定時間（例えば、３ｍｉｎ等）が経過したか否かを判定する。そして、端末装置１０の制御部１６は、上記所定時間が経過したと判定されていない場合（ＳＡ３、Ｎｏ）にはＳＡ１へ移行し、上記所定時間が経過したと判定された場合（ＳＡ３、Ｙｅｓ）にはＳＡ４へ移行する。なお、ＳＡ１において端末装置１０のユーザが出発地又は目的地の設定指示を行わない場合には、例えば、検知処理を円滑に行えるように、端末装置１０の制御部１６が、タッチパッド１３によってユーザの所定操作が受け付けられることにより、ＳＡ３にて所定時間経過する前にＳＡ４へ移行してもよい。また、ＳＡ３の処理後にＳＡ１へ移行した場合において、出発地又は目的地の設定指示が既に受け付けられている場合には、端末装置１０の制御部１６はＳＡ２へ移行する。
【００４４】
ＳＡ４において端末装置１０の制御部１６は、検索ワードの入力が受け付けられたか否かを判定する。ここで、「検索ワード」とは、立寄地等の検索対象を検索するためのワード（文字）である。また、この検索ワードの入力方法については任意であるが、例えば、タッチパッド１３を介して端末装置１０のユーザが検索ワードを入力し、その後タッチパッド１３を介して入力完了を示す操作入力を行うことで当該入力を受け付ける。なお、この入力された検索ワードは、例えば、図７、図８に示すように、ディスプレイ１４の画面上の領域のうち、上記第１設定領域、上記第２設定領域、及び上記第３設定領域から表示の切り替えが行われた後に表示される領域であり、検索ワードを表示する領域Ｄ１（以下、「第１表示領域Ｄ１」と称する）に表示される。そして、端末装置１０の制御部１６は、検索ワードの入力が受け付けられるまで待機し（ＳＡ４、Ｎｏ）、検索ワードの入力が受け付けられた場合（ＳＡ４、Ｙｅｓ）にはＳＡ５へ移行する。
【００４５】
ＳＡ５において端末装置１０の制御部１６は、検索候補取得要求情報を管理サーバ２０に送信する。ここで、「検索候補取得要求情報」とは、管理サーバ２０に対して後述する検索候補情報の送信を要求する情報である。また、この検索候補取得要求情報の送信内容については、実施の形態では、ＳＡ１にて出発地又は目的地が設定されていると共に、ＳＡ２にて探索条件が設定されている場合には、上記出発地又は目的地、上記探索条件、ＳＡ４にて入力された検索ワード、及び、データ記録部１７にあらかじめ記録されたユーザ識別情報（具体的には、端末装置１０のユーザを特定するユーザ識別情報）を検索候補取得要求情報に含めて送信する。また、ＳＡ１にて出発地又は目的地が設定されているものの、ＳＡ２にて探索条件が設定されていない場合には、上記出発地又は目的地、上記検索ワード、及び上記ユーザ識別情報を検索候補取得要求情報に含めて送信する。また、ＳＡ１にて出発地又は目的地が設定されていない場合には、上記検索ワード、及び上記ユーザ識別情報を検索候補取得要求情報に含めて送信する。
【００４６】
次に、図６に示すように、ＳＢ１において管理サーバ２０の制御部２２は、端末装置１０から送信された検索候補取得要求情報を受信したか否かを判定する。そして、管理サーバ２０の制御部２２は、検索候補取得要求情報が受信されるまで待機し（ＳＢ１、Ｎｏ）、検索候補取得要求情報が受信された場合に（ＳＢ１、Ｙｅｓ）、ＳＢ２へ移行する。
【００４７】
ＳＢ２において管理サーバ２０の取得部２２ａは、検索履歴ＤＢ２３ｄに格納されている検索ワード情報の中から、ＳＢ１にて受信された検索候補取得要求情報に含まれる検索ワードに対応し、且つ端末装置１０のユーザに対応する検索ワード情報（以下、「第１検索ワード情報」と称する）を取得する。この第１検索ワード情報の取得方法については任意であるが、実施の形態においては、上記検索候補取得要求情報に含まれる検索ワードをすべて含み、且つ、上記検索候補取得要求情報に含まれるユーザ識別情報と一致する第１検索ワード情報を取得する。具体的には、公知の言語解析手法等を用いて、検索履歴ＤＢ２３ｄに格納されている検索ワード情報の中から、文頭の文字が上記検索ワードと一致する検索ワード情報（いわゆる前方一致の検索ワード情報）を第１検索ワード情報として取得する。例えば、上記検索ワード＝「れ」、上記ユーザ識別情報（ユーザＩＤ）＝「１００１」である場合に、第１検索ワード情報＝「レンタルビデオ」、「レンタカー」等を取得する（なお、後述する第２検索ワード情報の取得方法についても同様とする）。なお、上記検索ワードの文字数を増やすことで、取得される第１検索ワード情報を絞り込むことができる（例えば、上記検索ワード＝「れんたる」である場合には、第１検索ワード情報＝「レンタルビデオ」を取得する等）。
【００４８】
ＳＢ３において管理サーバ２０の取得部２２ａは、検索履歴ＤＢ２３ｄに格納されている検索ワード情報の中から、ＳＢ１にて受信された検索候補取得要求情報に含まれる検索ワードに対応し、且つ端末装置１０以外の他の端末装置１０のユーザに対応する検索ワード情報（以下、「第２検索ワード情報」と称する）を取得する。この第２検索ワード情報の取得方法については任意であるが、実施の形態においては、上記検索候補取得要求情報に含まれる検索ワードをすべて含み、且つ、上記検索候補取得要求情報に含まれるユーザ識別情報以外の他のユーザ識別情報と一致する第２検索ワード情報を取得する。
【００４９】
ＳＢ４において管理サーバ２０の制御部２２は、図５のＳＡ１にて出発地又は目的地が設定されたか否かを判定する。具体的には、管理サーバ２０の制御部２２は、ＳＢ１にて受信された検索候補取得要求情報の中に出発地又は目的地が含まれているか否かを判定し、出発地又は目的地が含まれている場合には出発地又は目的地が設定されていると判定し、出発地又は目的地が含まれていない場合には出発地又は目的地が設定されていないと判定する。そして、管理サーバ２０の制御部２２は、出発地又は目的地が設定されていると判定された場合（ＳＢ４、Ｙｅｓ）にはＳＢ５へ移行し、出発地又は目的地が設定されていないと判定された場合（ＳＢ４、Ｎｏ）にはＳＢ１０へ移行する。
【００５０】
ＳＢ５において管理サーバ２０の経路設定部２２ｃは、ＳＢ１にて受信された検索候補取得要求情報に含まれる出発地及び目的地、探索条件、並びに、地図ＤＢ２３ａに格納された地図情報に基づいて、公知の経路探索手法を用いて経路を設定する。なお、ＳＢ１にて受信された検索候補取得要求情報の中に出発地、目的地、又は探索条件のいずれか１つが含まれていない場合には、ＳＢ５、ＳＢ９の処理が省略される。
【００５１】
ＳＢ６において管理サーバ２０の取得部２２ａは、施設ＤＢ２３ｂに格納されている施設情報の中から、ＳＢ１にて受信された検索候補取得要求情報に含まれる出発地又は目的地に対応する施設に対応する施設情報を特定する。この施設情報の特定方法については、実施の形態では、施設ＤＢ２３ｂに格納されている施設情報の中から、上記検索候補取得要求情報に含まれる出発地（又は目的地）の位置と一致する施設に対応する施設情報（具体的には、出発地（又は目的地）の位置と一致する施設位置情報を含む施設情報）を特定する。この場合において、上記検索候補取得要求情報の中に出発地及び目的地の両方が含まれている場合には、例えば、図５のＳＡ５において、タッチパッド１３を介して端末装置１０のユーザによってＳＢ６の処理にて用いられる出発地又は目的地のいずれか一方をあらかじめ選択させておき、この選択された出発地又は目的地のいずれか一方の位置と一致する施設に対応する施設情報を特定してもよい。
【００５２】
ＳＢ７において管理サーバ２０の取得部２２ａは、関連ＤＢ２３ｃに格納されている関連施設種類情報又は関連施設名称情報の中から、ＳＢ６にて特定された施設情報に対応する関連施設種類情報又は関連施設名称情報であり、且つＳＢ１にて受信された検索候補取得要求情報に含まれる検索ワードに対応する関連施設種類情報又は関連施設名称情報を取得する。
【００５３】
ここで、関連施設種類情報の取得方法については任意であるが、実施の形態においては、まず、関連ＤＢ２３ｃに格納されている関連施設種類情報の中から、ＳＢ６にて特定された施設情報に含まれる施設種類情報に対応する関連施設種類情報を特定する。次いで、公知の言語解析手法等を用いて、上記特定された関連施設種類情報の中から、文頭の文字が上記検索ワードと一致する関連施設種類情報（いわゆる前方一致の関連施設種類情報）を取得する。例えば、上記検索ワード＝「れ」である場合に、関連施設種類情報＝「レンタルスキー・ボードショップ」、「レンタカーショップ」等を取得する。
【００５４】
また、関連施設名称情報の取得方法については任意であるが、実施の形態においては、関連ＤＢ２３ｃに格納されている関連施設種類情報の中から、ＳＢ６にて特定された施設情報に含まれる施設種類情報に対応する関連施設種類情報を特定する。次に、施設ＤＢ２３ｂに格納されている施設名称情報の中から、上記特定された関連施設種類情報に対応する施設名称情報を取得する。続いて、公知の言語解析手法等を用いて、上記特定された施設名称情報の中から、文頭の文字が上記検索ワードと一致する施設名称情報（いわゆる前方一致の施設名称情報）を関連施設名称情報として取得する。例えば、上記検索ワード＝「れ」である場合において、関連施設種類情報＝「レンタルスキー・ボードショップ」、「レンタカーショップ」、「レストラン」、「温泉施設」、「マッサージ施設」等を取得した場合には、関連施設名称情報＝「レンタル〇〇〇」、「レンタル×××」、「レンタカー△△△」、「レストラン×××」等を取得する。
【００５５】
ＳＢ８において管理サーバ２０の取得部２２ａは、施設ＤＢ２３ｂに格納されている施設情報の中から、ＳＢ１にて受信された検索候補取得要求情報に含まれる出発地又は目的地から所定距離内に存在する施設に対応する施設情報であり、且つ、当該検索候補取得要求情報に含まれる検索ワードに対応する施設情報を第１施設情報として取得する。この第１施設情報の取得方法については任意であるが、実施の形態においては、施設ＤＢ２３ｂに格納されている施設情報の中から、上記検索候補取得要求情報に含まれる出発地又は目的地から所定距離内（例えば１ｋｍ以内等）の施設の位置を特定する施設位置情報を含む施設情報を特定する。次いで、ＳＢ７における関連施設種類情報の取得と同様に、公知の言語解析手法等を用いて、上記特定された施設情報の中から、文頭の文字が上記検索ワードと一致する施設情報（いわゆる前方一致の施設情報）を第１施設情報として取得する。
【００５６】
ＳＢ９において管理サーバ２０の取得部２２ａは、施設ＤＢ２３ｂに格納されている施設情報の中から、ＳＢ５にて設定された経路沿いに存在する施設に対応する施設情報であり、且つ、ＳＢ１にて受信された検索候補取得要求情報に含まれる検索ワードに対応する施設情報を第２施設情報として取得する。この第２施設情報の取得方法については任意であるが、実施の形態においては、施設ＤＢ２３ｂに格納されている施設情報の中から、ＳＢ５にて設定された経路上の各リンクから所定距離内（例えば、５０ｍ以内等）の施設の位置を特定する施設位置情報を含む施設情報を特定する。次いで、ＳＢ７における関連施設種類情報の取得と同様に、公知の言語解析手法等を用いて、上記特定された施設情報の中から、文頭の文字が上記検索ワードと一致する施設情報（いわゆる前方一致の施設情報）を第２施設情報として取得する。
【００５７】
ＳＢ１０において管理サーバ２０の案内部２２ｂは、検索候補情報を端末装置１０に送信する。ここで、「検索候補情報」とは、立寄地を検索するための候補となるワードを特定する情報である。この検索候補情報の送信内容については、実施の形態では、ＳＢ１にて受信された検索候補取得要求情報の中に出発地又は目的地が含まれている場合には、ＳＢ２にて取得された第１検索ワード情報、ＳＢ３にて取得された第２検索ワード情報、ＳＢ７にて取得された関連施設種類情報又は関連施設名称情報、ＳＢ８にて取得された第１施設情報、及びＳＢ９にて取得された第２施設情報を検索候補情報に含めて送信する。また、この検索候補取得要求情報の中に出発地又は目的地が含まれていない場合には、ＳＢ２にて取得された第１検索ワード情報、及びＳＢ３にて取得された第２検索ワード情報を検索候補情報に含めて送信する。これにて、管理サーバ２０の制御部２２は、案内処理を終了する。
【００５８】
続いて、図５に戻り、ＳＡ６において端末装置１０の制御部１６は、管理サーバ２０から検索候補情報を受信したか否かを判定する。そして、端末装置１０の制御部１６は、検索候補情報が受信されるまで待機し（ＳＡ６、Ｎｏ）、検索候補情報が受信された場合に（ＳＡ６、Ｙｅｓ）、ＳＡ７へ移行する。
【００５９】
ＳＡ７において端末装置１０の案内部１６ａは、ＳＡ６にて受信された検索候補情報の案内を行う。ここで、上記検索候補情報の案内方法については任意であるが、実施の形態では、図７、図８に示すように、ディスプレイ１４の画面上の領域のうち、第１表示領域Ｄ１と同時に表示される領域であり検索候補情報を表示する領域Ｄ２（以下、「第２表示領域Ｄ２」と称する）において、上記検索候補情報の中から、端末装置１０のユーザが検索対象を容易かつ迅速に特定できるように案内する。
【００６０】
具体的には、上記検索候補情報の中に第１検索ワード情報、第２検索ワード情報、関連施設種類情報又は関連施設名称情報、第１施設情報、及び第２施設情報が含まれている場合には、図７に示すように、ＳＡ１にて設定された出発地又は目的地に関連する情報である関連施設種類情報又は関連施設名称情報、第１施設情報、及び第２施設情報を、第１検索ワード情報及び第２検索ワード情報よりも優先して表示することで案内する。ここで、「優先して表示」とは、優先する情報を他の情報よりも端末装置１０のユーザにとって認識しやすいように表示することを意味し、例えば、複数の情報を上下方向に沿ってリスト表示する場合には、優先する情報を他の情報よりも上方に表示する。本実施の形態では、ＳＡ１にて設定された出発地又は目的地に関連する情報である関連施設種類情報又は関連施設名称情報、第１施設情報、及び第２施設情報をリストの上方に表示し、第１検索ワード情報及び第２検索ワード情報をリストの下方に表示する。このように、関連施設種類情報又は関連施設名称情報、第１施設情報、及び第２施設情報の案内方法については、関連施設種類情報又は関連施設名称情報を第１施設情報及び第２施設情報よりも優先的に表示するとともに、第１施設情報を第２施設情報よりも優先的に表示することで、ユーザのニーズに合致した検索対象を容易かつ迅速に特定することが可能になる。また、この場合には、施設種類情報及び施設名称情報の両方を表示することになるが、実施の形態では、施設種類情報を施設名称情報よりも優先して表示することで、施設名称情報に比べて包括的な情報である施設種類情報を優先して案内することができる。このため、施設名称情報を優先して表示する場合や、施設種類情報と施設名称情報をランダムに表示する場合に比べて、ユーザが検索対象を一層容易かつ迅速に特定することが可能になる。また、第１検索ワード情報及び第２検索ワード情報の案内方法については、第１検索ワード情報を第２検索ワード情報よりも優先的に表示する。また、上記検索候補情報の中に第１検索ワード情報及び第２検索ワード情報が含まれている場合には、図８に示すように、第２表示領域Ｄ２において、第１検索ワード情報、第２検索ワード情報を順に並べて表示することで案内する。
【００６１】
例えば、ＳＡ１にて出発地＝自車両の現在位置、目的地＝〇〇スキー場が設定されており、ＳＡ２にて探索条件＝距離優先条件が設定されている場合において、ＳＡ４にて検索ワード＝「れ」が入力されており、上記検索候補情報の中に、第１検索ワード情報＝「レンタルビデオ」、及び「レンタカー」、第２検索ワード情報＝「レターパック」、「冷蔵庫」、「レモン」、及び「レターセット」、目的地に対応する関連施設種類情報＝「レンタルスキー・ボードショップ」、及び「レンタカーショップ」、目的地に対応する第１施設情報の施設種類情報＝「レンタルスキー・ボードショップ」、目的地に対応する第１施設情報の施設名称情報＝「レンタル〇〇〇」、目的地に対応する第２施設情報の施設種類情報＝「レストラン」、目的地に対応する第２施設情報の施設名称情報＝「レストラン〇〇〇」が含まれている場合には、図７に示すように、第２表示領域Ｄ２において、「レンタルスキー・ボードショップ」、「レンタカーショップ」（関連施設種類情報）、「レンタル〇〇〇」（第１施設情報の施設名称情報）、「レストラン」（第２施設情報の施設種類情報）、「レストラン〇〇〇」（第２施設情報の施設名称情報）、「レンタルビデオ」、及び「レンタカー」（第１検索ワード情報）、並びに、「レターパック」、「冷蔵庫」、「レモン」、及び「レターセット」（第２検索ワード情報）が、上位から下位へと順に並べて一覧表示されることで案内される。この場合において、関連施設種類情報＝「レンタルスキー・ボードショップ」と第１施設情報の施設種類情報＝「レンタルスキー・ボードショップ」とが同一であるので、これらいずれか一方の表示が省略されている（図７では第１施設情報の施設種類情報を省略する）。また、図７では、関連施設種類情報、第１施設情報の施設種類情報、第１施設情報の施設名称情報、第２施設情報の施設種類情報、第２施設情報の施設名称情報、及び第１検索ワード情報の一部が表示されているが、第２表示領域Ｄ２のカーソルを移動させることにより、第１検索ワード情報の他の一部、及び第２検索ワード情報が表示される。
【００６２】
また、例えば、ＳＡ１にて目的地＝〇〇スキー場のみが設定されている場合において、ＳＡ４にて検索ワード＝「れ」が入力されており、上記検索候補情報の中に、第１検索ワード情報＝「レンタルビデオ」、及び「レンタカー」、第２検索ワード情報＝「レターパック」、「冷蔵庫」、「レモン」、及び「レターセット」が含まれている場合には、図８に示すように、第２表示領域Ｄ２において、「レンタルビデオ」、及び「レンタカー」（第１検索ワード情報）、並びに、「レターパック」、「冷蔵庫」、「レモン」、及び「レターセット」（第２検索ワード情報）が、上位から下位へと順に並べて一覧表示されることで案内される。
【００６３】
以上のような処理により、検索ワードを入力して立寄地を検索する場合に、図５のＳＡ１にて設定された出発地又は目的地のいずれか一方に対応する施設の種類と関連する施設の種類に対応する関連施設種類情報であり、且つ検索ワードに対応する関連施設種類情報を、立寄地を検索するための候補となるワードとして端末装置１０のユーザに対して提示できる。よって、この提示された関連施設種類情報又は関連施設名称情報を用いて立寄地を検索することにより、従来技術に比べてユーザのニーズに合致した立寄地を検索することができるので、立寄地の検索の利便性を向上させることができる。また、図５のＳＡ１にて設定された出発地又は目的地から所定距離内に存在する施設に対応する第１施設情報であり、且つ検索ワードに対応する第１施設情報を、立寄地を検索するための候補となるワードとして端末装置１０のユーザに対して提示できる。よって、この提示された第１施設情報を用いて立寄地を検索することにより、ユーザのニーズに一層合致した立寄地を検索することができ、立寄地の検索の利便性を一層向上させることができる。また、ＳＢ５にて設定された経路沿いに存在する施設に対応する第２施設情報であり、且つ検索ワードに対応する第２施設情報を、立寄地を検索するための候補となるワードとして端末装置１０のユーザに対して提示できる。よって、この提示された第２施設情報を用いて立寄地を検索することにより、ユーザのニーズにさらに一層合致した立寄地を検索することができ、立寄地の検索の利便性をさらに一層向上させることができる。
【００６４】
次に、図５に示すように、端末装置１０のユーザに対して立寄地を案内できるように、端末装置１０の制御部１６は、ＳＡ８からＳＡ１０の処理を行う。
【００６５】
まず、図５に示すように、ＳＡ８において端末装置１０の制御部１６は、立寄地の検索指示が受け付けられたか否かを判定する。この立寄地の検索指示の受け付け方法については任意であるが、例えば、ＳＡ７において第２表示領域Ｄ２に表示された検索候補情報のいずれか１つをタッチパッド１３を介して端末装置１０のユーザが選択した後に、当該ユーザの所定操作が行われることで受け付けてもよい。そして、端末装置１０の制御部１６は、立寄地の検索指示が受け付けられていない場合（ＳＡ８、Ｎｏ）にはＳＡ４へ移行して、立寄地の検索指示が受け付けられるまで、ＳＡ４からＳＡ９の処理を繰り返す。この場合において、ＳＡ４にて入力される検索ワードが変更された場合には、ＳＡ７において第２表示領域Ｄ２で案内される検索候補情報の内容が変更されることから、例えば、ＳＡ４において上記検索ワードの文字数を増やしたり、又は上記検索ワードを修正したりすることにより、ＳＡ７において検索履歴ＤＢ２３ｄで案内される検索候補情報を絞り込むことができ、ユーザのニーズに合致した立寄地を検索することが可能となる。一方、立寄地の検索指示が受け付けられた場合（ＳＡ８、Ｙｅｓ）にはＳＡ９へ移行する。
【００６６】
ＳＡ９において端末装置１０の制御部１６は、立寄地を検索する。この立寄地の検索方法については任意であるが、例えば、施設ＤＢ２３ｂに格納されている施設情報の中から、ＳＡ８にて選択された検索候補情報（例えば、関連施設種類情報等）に一致する施設情報を特定し、当該特定した施設情報に対応する施設を立寄地として設定する。例えば、上記検索候補情報＝「レンタルスキー・ボードショップ」である場合に、立寄地＝「レンタル〇〇〇」、「レンタル×××」等を設定する。なお、立寄地の検索方法は、上述した方法に限られず、例えば、公知のＰＯＩ検索を用いて立寄地を検索してもよい。
【００６７】
ＳＡ１０において端末装置１０の案内部１６ａは、ＳＡ９にて検索された立寄地の案内を行う。この立寄地の案内方法については任意であるが、例えば、施設ＤＢ２３ｂに格納されている施設情報の中から、上記検索された立寄地に対応する施設情報を取得し、当該取得した施設情報を、ディスプレイ１４の画面上の領域のうち、第１表示領域Ｄ１及び第２表示領域Ｄ２から表示の切り替えが行われた後に表示される第３表示領域であり、立寄地を表示する第３表示領域（図示省略）に一覧表示することで案内してもよい。あるいは、上記検索された立寄地を示す位置アイコンを、ディスプレイ１４に表示された地図に対して重ねて表示することで案内してもよい。この場合において、上記検索された立寄地を示す位置アイコンのみをディスプレイ１４に表示してもよいが、例えば、上記立寄地を示す位置アイコンに加えて、端末装置１０の制御部１６が、ＳＡ１にて設定された出発地及び目的地、ＳＡ２にて設定された探索条件、並びに、地図ＤＢ１７ａに格納された地図情報に基づいて、公知の経路探索手法を用いて、出発地からＳＡ９にて検索された立寄地を経由して目的地に至る経路を設定し、当該設定した経路をディスプレイ１４に表示された地図に対して重ねて表示してもよい。これにて、端末装置１０の制御部１６は、案内処理を終了する。
【００６８】
以上のような処理により、ＳＡ８において選択された検索候補情報に基づいて検索された立寄地を端末装置１０のユーザに対して案内できるので、ユーザのニーズに合致した立寄地を提示することができる。
【００６９】
〔実施の形態に対する変形例〕
以上、本発明に係る実施の形態について説明したが、本発明の具体的な構成及び手段は、特許請求の範囲に記載した本発明の技術的思想の範囲内において、任意に改変及び改良することができる。以下、このような変形例について説明する。
【００７０】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。例えば、本発明に係る案内システム１の立寄地の検索の利便性が従来と同程度であっても、従来と異なる構造により従来と同程度の立寄地の検索の利便性を有している場合には、本願発明の課題は解決されている。
【００７１】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。本出願における「システム」とは、複数の装置によって構成されたものに限定されず、単一の装置によって構成されたものを含む。また、本出願における「装置」とは、単一の装置によって構成されたものに限定されず、複数の装置によって構成されたものを含む。例えば、管理サーバ２０を、相互に通信可能に構成された複数の装置に分散して構成し、これら複数の装置の一部に取得部２２ａ及び案内部２２ｂを設けると共に、これら複数の装置の他の一部に経路設定部２２ｃを設けてもよい。また、端末装置１０及び管理サーバ２０を、単一の装置として統合して構成してもよい。
【００７２】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００７３】
（端末装置について）
上記実施の形態では、端末装置１０が車載ナビゲーション装置を用いて構成されていると説明したが、これに限られず、例えば、スマートフォンや携帯用ナビゲーション装置等の公知のモバイル端末を用いて構成されてもよい。
【００７４】
（案内システムの使用態様について）
上記実施の形態では、案内システム１の使用態様については、端末装置１０が自車両に搭載されるものとして使用されると説明したが、これに限られない。例えば、歩行者が歩行経路を設定する場合には、端末装置１０が歩行者によって携帯されるものとして使用されてもよい。この場合には、探索条件のうち燃費優先条件が除外される。
【００７５】
（関連ＤＢについて）
上記実施の形態では、関連ＤＢ２３ｃは、施設種類情報と、関連施設種類情報又は関連施設名称情報とを相互に関連付けて格納すると説明したが、これに限られず、例えば、施設種類情報と、関連施設種類情報と、関連施設名称情報とを相互に関連付けて格納さしてもよい。
【００７６】
（案内処理について）
上記実施の形態では、ＳＢ２、ＳＢ３、ＳＢ８、及びＳＢ９の処理が行われると説明したが、これに限られず、例えば、管理サーバ２０の処理負荷を低減するために、ＳＢ２、ＳＢ３、ＳＢ８、又はＳＢ９の処理の少なくともいずれか１つを省略してもよい。この場合において、ＳＢ２又はＳＢ３の処理を省略する場合には、検索履歴ＤＢ２３ｄを省略してもよい。
【００７７】
また、上記実施の形態では、ＳＢ８において、施設ＤＢ２３ｂに格納されている施設情報の中から、ＳＢ１にて受信された検索候補取得要求情報に含まれる出発地又は目的地から所定距離内に存在する施設に対応する第１施設情報であり、且つ、当該検索候補取得要求情報に含まれる検索ワードに対応する施設情報を第１施設情報として取得すると説明したが、これに限られない。例えば、ＳＢ７にて取得された関連施設種類情報（又は関連施設名称情報）の中から端末装置１０のユーザのニーズに応じた情報をさらに取得できるように、ＳＢ７にて取得された関連施設種類情報（又は関連施設名称情報）の中から、上記検索候補取得要求情報に含まれる出発地又は目的地から所定距離内に存在する施設に対応する関連施設種類情報（又は関連施設名称情報）であり、且つ、当該検索候補取得要求情報に含まれる検索ワードに対応する関連施設種類情報（又は関連施設名称情報）を第１施設情報として取得してもよい。あるいは、ＳＢ７にて取得された関連施設種類情報（又は関連施設名称情報）の中から、ＳＢ５にて設定された経路沿いに存在する施設に対応する関連施設種類情報（又は関連施設名称情報）であり、且つ、上記検索候補取得要求情報に含まれる検索ワードに対応する関連施設種類情報（又は関連施設名称情報）を第２施設情報として取得してもよい。この場合には、ＳＢ１０にて送信される検索候補情報の送信内容については、例えば、ＳＢ１にて受信された検索候補取得要求情報の中に出発地又は目的地が含まれている場合には、ＳＢ２にて取得された第１検索ワード情報、ＳＢ３にて取得された第２検索ワード情報、ＳＢ８にて取得された第１施設情報、及びＳＢ９にて取得された第２施設情報を検索候補情報に含めて送信する。
【００７８】
また、上記実施の形態では、ＳＡ７において、関連施設種類情報又は関連施設名称情報、第１施設情報、及び第２施設情報を、第１検索ワード情報及び第２検索ワード情報よりも優先してディスプレイ１４に表示することで案内すると説明したが、これに限られない。例えば、第１検索ワード情報及び第２検索ワード情報を、関連施設種類情報又は関連施設名称情報、第１施設情報、及び第２施設情報よりも優先してディスプレイ１４に表示することで案内してもよく、あるいは、関連施設種類情報又は関連施設名称情報、第１施設情報、第２施設情報を、第１検索ワード情報、及び第２検索ワード情報をランダムにディスプレイ１４に表示することで案内してもよい。また、上記実施の形態では、ＳＡ７において、施設種類情報を施設名称情報よりも優先して表示すると説明したが、これに限られない。例えば、施設名称情報を施設種類情報よりも優先して表示してもよく、あるいは、施設種類情報と施設名称情報をランダムに表示してもよい。
【００７９】
〔実施の形態の特徴と効果の一部〕
最後に、これまでに説明した実施の形態の特徴と効果の一部を、以下に例示する。ただし、実施の形態の特徴と効果は、以下の内容に限定されず、以下の特徴の一部のみを具備することによって以下の効果の一部のみを奏する場合や、以下の特徴以外の他の特徴を具備することによって以下の効果以外の他の効果を奏する場合がある。
【００８０】
実施の形態の１つの側面１に係る案内システムは、地図情報を格納する地図情報格納手段と、施設の種類を特定する施設種類情報と、前記施設の名称を特定する施設名称情報と、前記施設の位置を特定する施設位置情報とを相互に関連付けて構成された施設情報を格納する施設情報格納手段と、前記施設種類情報と、前記施設種類情報にて特定される施設の種類と関連する施設の種類を特定する関連施設種類情報、又は前記施設種類情報にて特定される施設の種類と関連する施設の名称を特定する関連施設名称情報とを相互に関連付けて格納する関連情報格納手段と、出発地又は目的地の少なくともいずれか一方が設定されている場合において、前記出発地又は前記目的地以外の地点であってユーザが立ち寄る地点である立寄地を検索するための検索ワードの入力を受け付ける入力手段と、前記入力手段によって前記検索ワードの入力が受け付けられた場合に、前記施設情報格納手段に格納されている前記施設情報の中から、前記地図情報に基づいて、前記出発地又は前記目的地のいずれか一方に対応する施設に対応する前記施設情報を特定し、前記関連情報格納手段に格納されている前記関連施設種類情報又は前記関連施設名称情報の中から、前記特定された前記施設情報に対応する前記関連施設種類情報又は前記関連施設名称情報であり、且つ前記検索ワードに対応する前記関連施設種類情報又は前記関連施設名称情報を取得する取得手段と、前記取得手段にて取得された前記関連施設種類情報又は前記関連施設名称情報を表示手段に表示する案内手段と、を備えた。
【００８１】
上記側面１に係る案内システムによれば、入力手段によって検索ワードの入力が受け付けられた場合に、施設情報格納手段に格納されている施設情報の中から、地図情報に基づいて、出発地又は目的地のいずれか一方に対応する施設に対応する施設情報を特定し、関連情報格納手段に格納されている関連施設種類情報又は関連施設名称情報の中から、特定された施設情報に対応する関連施設種類情報又は関連施設名称情報であり、且つ検索ワードに対応する関連施設種類情報又は関連施設名称情報を取得する取得手段と、取得手段にて取得された関連施設種類情報又は関連施設名称情報を表示手段に表示する案内手段と、を備えたので、検索ワードを入力して立寄地を検索する場合に、出発地又は目的地のいずれか一方に対応する施設の種類と関連する施設の種類又は施設の名称に対応する関連施設種類情報又は関連施設名称情報であり、且つ検索ワードに対応する関連施設種類情報又は関連施設名称情報を、立寄地を検索するための候補となるワードとしてユーザに対して提示できる。よって、この提示された関連施設種類情報又は関連施設名称情報を用いて立寄地を検索することにより、従来技術に比べてユーザのニーズに合致した立寄地を検索することができるので、立寄地の検索の利便性を向上させることができる。
【００８２】
実施の形態の他の側面２に係る案内システムは、上記側面１に係る案内システムにおいて、前記取得手段は、前記施設情報格納手段に格納されている前記施設情報の中から、前記出発地又は前記目的地から所定距離内に存在する施設に対応する前記施設情報であり、且つ前記検索ワードに対応する前記施設情報を取得し、前記案内手段は、前記取得手段にて取得された前記施設情報のうち、前記施設種類情報又は前記施設名称情報を前記表示手段に表示する。
【００８３】
上記側面２に係る案内システムによれば、取得手段が、施設情報格納手段に格納されている施設情報の中から、出発地又は目的地から所定距離内に存在する施設に対応する施設情報であり、且つ検索ワードに対応する施設情報を取得し、案内手段が、取得手段にて取得された施設情報のうち、施設種類情報又は施設名称情報を表示手段に表示するので、検索ワードを入力して立寄地を検索する場合に、出発地又は目的地から所定距離内に存在する施設に対応する施設情報であり、且つ検索ワードに対応する施設情報を、立寄地を検索するための候補となるワードとしてユーザに対して提示できる。よって、この提示された施設情報を用いて立寄地を検索することにより、ユーザのニーズに一層合致した立寄地を検索することができ、立寄地の検索の利便性を一層向上させることができる。
【００８４】
実施の形態の他の側面３に係る案内システムは、上記側面１又は２に係る案内システムにおいて、所定方法で指定された探索条件と、前記地図情報とに基づいて、前記出発地から前記目的地に至る経路を設定する経路設定手段を備え、前記取得手段は、前記施設情報格納手段に格納されている前記施設情報の中から、前記経路設定手段にて設定された前記経路沿いに存在する施設に対応する前記施設情報であり、且つ前記検索ワードに対応する前記施設情報を取得し、前記案内手段は、前記取得手段にて取得された前記施設情報のうち、前記施設種類情報又は前記施設名称情報を前記表示手段に表示する。
【００８５】
上記側面３に係る案内システムによれば、取得手段が、施設情報格納手段に格納されている施設情報の中から、経路設定手段にて設定された経路沿いに存在する施設に対応する施設情報であり、且つ検索ワードに対応する施設情報を取得し、案内手段が、取得手段にて取得された施設情報のうち、施設種類情報又は施設名称情報を表示手段に表示するので、検索ワードを入力して立寄地を検索する場合に、設定された経路沿いに存在する施設に対応する施設情報であり、且つ検索ワードに対応する施設情報を、立寄地を検索するための候補となるワードとしてユーザに対して提示できる。よって、この提示された施設情報を用いて立寄地を検索することにより、ユーザのニーズにさらに一層合致した立寄地を検索することができ、立寄地の検索の利便性をさらに一層向上させることができる。
【００８６】
実施の形態の他の側面４に係る案内システムは、上記側面１から側面３のいずれかに係る案内システムにおいて、前記案内手段は、前記施設種類情報を前記施設名称情報よりも優先して前記表示手段に表示する。
【００８７】
上記側面４に係る案内システムによれば、案内手段が、施設種類情報を施設名称情報よりも優先して表示手段に表示するので、施設名称情報に比べて包括的な情報である施設種類情報を優先して案内することができ、施設名称情報を優先して表示する場合や、施設種類情報と施設名称情報をランダムに表示する場合に比べて、ユーザが検索対象を一層容易かつ迅速に特定することが可能になる。
【００８８】
実施の形態の他の側面５に係る案内方法は、入力手段が、出発地又は目的地の少なくともいずれか一方が設定されている場合において、前記出発地又は前記目的地以外の地点であってユーザが立ち寄る地点である立寄地を検索するための検索ワードの入力を受け付ける入力ステップと、取得手段が、前記入力ステップによって前記検索ワードの入力が受け付けられた場合に、施設情報格納手段に格納されている施設情報であって、施設の種類を特定する施設種類情報と、前記施設の名称を特定する施設名称情報と、前記施設の位置を特定する施設位置情報とを相互に関連付けて構成された施設情報の中から、地図情報格納手段に格納されている地図情報に基づいて、前記出発地又は前記目的地のいずれか一方に対応する施設に対応する前記施設情報を特定し、関連情報格納手段に前記施設情報と相互に関連づけて格納されている関連施設種類情報であり前記施設種類情報にて特定される施設の種類と関連する施設の種類を特定する関連施設種類情報の中から、又は前記関連情報格納手段に前記施設情報と相互に関連づけて格納されている関連施設名称情報であり前記施設種類情報にて特定される施設の種類と関連する施設の名称を特定する関連施設名称情報の中から、前記特定された前記施設情報に対応する前記関連施設種類情報又は前記関連施設名称情報であり、且つ前記検索ワードに対応する前記関連施設種類情報又は前記関連施設名称情報を取得する取得ステップと、案内手段が、前記取得ステップにおいて取得された前記関連施設種類情報又は前記関連施設名称情報を表示手段に表示する案内ステップと、を含む。
【００８９】
上記側面５に係る案内方法によれば、取得手段が、入力ステップにおいて検索ワードの入力が受け付けられた場合に、施設情報格納手段に格納されている施設情報の中から、地図情報に基づいて、出発地又は目的地のいずれか一方に対応する施設に対応する施設情報を特定し、関連情報格納手段に格納されている関連施設種類情報又は関連施設名称情報の中から、特定された施設情報に対応する関連施設種類情報又は関連施設名称情報であり、且つ検索ワードに対応する関連施設種類情報又は関連施設名称情報を取得する取得ステップと、案内手段が、取得ステップにおいて取得された関連施設種類情報又は関連施設名称情報を表示手段に表示する案内ステップと、を含むので、検索ワードを入力して立寄地を検索する場合に、出発地又は目的地のいずれか一方に対応する施設の種類と関連する施設の種類又は施設の名称に対応する関連施設種類情報又は関連施設名称情報であり、且つ検索ワードに対応する関連施設種類情報又は関連施設名称情報を、立寄地を検索するための候補となるワードとしてユーザに対して提示できる。よって、この提示された関連施設種類情報又は関連施設名称情報を用いて立寄地を検索することにより、従来技術に比べてユーザのニーズに合致した立寄地を検索することができるので、立寄地の検索の利便性を向上させることができる。
【００９０】
実施の形態の他の側面６に係る案内プログラムは、コンピュータは、地図情報を格納する地図情報格納手段と、施設の種類を特定する施設種類情報と、前記施設の名称を特定する施設名称情報と、前記施設の位置を特定する施設位置情報とを相互に関連付けて構成された施設情報を格納する施設情報格納手段と、前記施設種類情報と、前記施設種類情報にて特定される施設の種類と関連する施設の種類を特定する関連施設種類情報、又は前記施設種類情報にて特定される施設の種類と関連する施設の名称を特定する関連施設名称情報とを相互に関連付けて格納する関連情報格納手段と、を備え、前記コンピュータを、出発地又は目的地の少なくともいずれか一方が設定されている場合において、前記出発地又は前記目的地以外の地点であってユーザが立ち寄る地点である立寄地を検索するための検索ワードの入力を受け付ける入力手段と、前記入力手段によって前記検索ワードの入力が受け付けられた場合に、前記施設情報格納手段に格納されている前記施設情報の中から、前記地図情報に基づいて、前記出発地又は前記目的地のいずれか一方に対応する施設に対応する前記施設情報を特定し、前記関連情報格納手段に格納されている前記関連施設種類情報又は前記関連施設名称情報の中から、前記特定された前記施設情報に対応する前記関連施設種類情報又は前記関連施設名称情報であり、且つ前記検索ワードに対応する前記関連施設種類情報又は前記関連施設名称情報を取得する取得手段と、前記取得手段にて取得された前記関連施設種類情報又は前記関連施設名称情報を表示手段に表示する案内手段と、として機能させる。
【００９１】
上記側面６に係る案内プログラムによれば、入力手段によって検索ワードの入力が受け付けられた場合に、施設情報格納手段に格納されている施設情報の中から、地図情報に基づいて、出発地又は目的地のいずれか一方に対応する施設に対応する施設情報を特定し、関連情報格納手段に格納されている関連施設種類情報又は関連施設名称情報の中から、特定された施設情報に対応する関連施設種類情報又は関連施設名称情報であり、且つ検索ワードに対応する関連施設種類情報又は関連施設名称情報を取得する取得手段と、取得手段にて取得された関連施設種類情報又は関連施設名称情報を表示手段に表示する案内手段と、を備えたので、検索ワードを入力して立寄地を検索する場合に、出発地又は目的地のいずれか一方に対応する施設の種類と関連する施設の種類又は施設の名称に対応する関連施設種類情報又は関連施設名称情報であり、且つ検索ワードに対応する関連施設種類情報又は関連施設名称情報を、立寄地を検索するための候補となるワードとしてユーザに対して提示できる。よって、この提示された関連施設種類情報又は関連施設名称情報を用いて立寄地を検索することにより、従来技術に比べてユーザのニーズに合致した立寄地を検索することができるので、立寄地の検索の利便性を向上させることができる。
【符号の説明】
【００９２】
１  案内システム
１０  端末装置
１１  現在地取得部
１２  通信部
１３  タッチパッド
１４  ディスプレイ
１５  スピーカ
１６  制御部
１６ａ  案内部
１７  データ記録部
１７ａ  地図ＤＢ
２０  管理サーバ
２１  通信部
２２  制御部
２２ａ  取得部
２２ｂ  案内部
２２ｃ  経路設定部
２３  データ記録部
２３ａ  地図ＤＢ
２３ｂ  施設ＤＢ
２３ｃ  関連ＤＢ
２３ｄ  検索履歴ＤＢ
Ｄ１  第１表示領域
Ｄ２  第２表示領域
【図１】
0006705645.tif 000002
【図２】
0006705645.tif 000003
【図３】
0006705645.tif 000004
【図４】
0006705645.tif 000005
【図５】
0006705645.tif 000006
【図６】
0006705645.tif 000007
【図７】
0006705645.tif 000008
【図８】
0006705645.tif 000009